(57)【要約】【課題】何らかの操作がなされるとユーザによる特別の操作なく最新の状況を通知することができる状態通知装置を提供すること。【解決手段】数字や文字、記号等を入力するためのボタンやナビゲーションキー等のユーザによる操作を検知する操作検知部１０１と、折り畳み式の携帯電話であれば携帯電話が開かれたことまたは閉じられたことを検知するものであり、フリップタイプの携帯電話であればフリップが開かれたことまたは閉じられたことを検知する開閉検知部１０３と、アンテナ１１５が引き出されたことを検知するアンテナ引出検知部１０５と、操作検知部１０１、開閉検知部１０３およびアンテナ引出検知部１０５のいずれかが操作を検知すると、当該操作に応じたプレゼンス情報を送出するよう通信制御部１０９に指示するプレゼンス管理部１０７と、プレゼンス管理部１０７から指示されたプレゼンス情報を送出する通信制御部１０９とを備えている。【選択図】　　図２
2004023374.tif 000002
【特許請求の範囲】
【請求項１】
通信端末が操作されると当該通信端末の操作状態を示すプレゼンス情報を送出する、前記通信端末に設けられた状態通知装置であって、
前記通信端末に対する操作を検知する操作検知手段と、
前記操作検知手段によって前記通信端末に対する操作が検知されるとプレゼンス情報を送出するプレゼント情報管理手段と、
を備えたことを特徴とする状態通知装置。
【請求項２】
前記操作検知手段は、検知した操作に応じたイベント通知信号を前記プレゼント情報管理手段に送出し、
前記プレゼンス情報管理手段は、前記操作検知手段からのイベント通知信号の種類に応じたプレゼンス情報を送出することを特徴とする請求項１記載の状態通知装置。
【請求項３】
前記通信端末が折り畳み式の通信端末であって、
前記操作検知手段は、前記折り畳み式の通信端末の開閉操作を検知することを特徴とする請求項１または２記載の状態通知装置。
【請求項４】
前記通信端末がフリップタイプの通信端末であって、
前記操作検知手段は、前記フリップタイプの通信端末が有するフリップの開閉操作を検知することを特徴とする請求項１または２記載の状態通知装置。
【請求項５】
前記通信端末がスライドタイプの通信端末であって、
前記操作検知手段は、前記スライドタイプの通信端末が有するカバー部のスライド操作を検知することを特徴とする請求項１または２記載の状態通知装置。
【請求項６】
前記操作検知手段は、前記通信端末のボタンまたはキーの操作を検知することを特徴とする請求項１、２、３、４または５記載の状態通知装置。
【請求項７】
前記操作検知手段は、前記通信端末が有する引き出し可能なアンテナの引き出し操作を検知することを特徴とする請求項１、２、３、４、５または６記載の状態通知装置。
【発明の詳細な説明】
【０００１】
【発明の属する技術分野】
本発明は、折り畳み式の通信端末であれば開閉時、フリップタイプの通信端末であればフリップの開閉時に状態通知を通知可能な状態通知装置に関する。
【０００２】
【従来の技術】
携帯電話が急速に普及する反面、携帯電話は電波が届く範囲であればどのような状況でも着信するため、そのマナーが社会問題となっていた。このため、ユーザは携帯電話の電源を切るか、マナーモードやドライブモード機能のある携帯電話であればその機能を有効にしてバイブレーションで着信を通知するモードに切り換えていた。一方、発信側は相手が電話にでることができない状況であってもその状況を事前に知ることができないため、とりあえず電話をかけて相手の状況を教えてもらったり、「現在電話にでることができません」といったメッセージを聞いて相手の状況を知ることができる。このため、事前に相手の状況を確認することのできるサービスが携帯電話の分野でも望まれていた。
【０００３】
ところで、デスクトップ型またはノート型のパーソナルコンピュータの分野では、インターネットを介してインスタントメッセージをリアルタイムに送受信可能なアプリケーションが利用されている。当該アプリケーションを利用することによって、事前に登録したメンバーがネットワークに接続しているか、ネットワークに接続しているメンバーが取り込み中かなどといった相手の現在の状況を知ることができる。
【０００４】
携帯電話でもこの仕組みを利用して同様のサービスを提供する試みがなされ、一部では実用化されている。この仕組みを利用すれば、携帯電話のユーザは、事前に登録したメンバーからのメッセージやキャラクターの表情（各メンバーをキャラクターで表示する場合）等を確認することによって、電話をかけなくても相手の状況を知ることができる。したがって、相手の状況に応じて電話を差し控えたりメールで連絡したりすることができるため、円滑なコミュニケーションを行うことができるといった効果が期待される。
【０００５】
【発明が解決しようとする課題】
しかしながら、インスタントメッセージを利用したサービスを携帯電話で有効に活用しようとすれば、ユーザは状況が変わるたびに新しい状況を示すメッセージを入力する、または設定を変更するといった操作を行わなければならないという問題点があった。この操作を怠ると登録相手の携帯電話には最新の状況が表示されず、いつまでも古い状況が表示されたままである。しかも、パソコン等と比べて操作性が良いとは言えない携帯電話でメッセージを入力したり設定を変更するのはユーザにとって非常に面倒であるため、ユーザがこのサービスを次第に利用しなくなる恐れがあった。
【０００６】
本発明は、上記従来の問題点または事情に鑑みてなされたものであって、何らかの操作がなされるとユーザによる特別の操作なく最新の状況を通知することができる状態通知装置を提供することを目的としている。
【０００７】
【課題を解決するための手段】
上記目的を達成するために、本発明に係る状態通知装置は、通信端末が操作されると当該通信端末の操作状態を示すプレゼンス情報を送出する、前記通信端末に設けられた状態通知装置であって、前記通信端末に対する操作を検知する操作検知手段と、前記操作検知手段によって前記通信端末に対する操作が検知されるとプレゼンス情報を送出するプレゼント情報管理手段と、を備えている。したがって、通信端末に何らかの操作がなされるとユーザによる特別の操作なく当該通信端末の最新の操作状態を他の通信端末に通知することができる。
【０００８】
また、本発明に係る状態通知装置は、前記操作検知手段は、検知した操作に応じたイベント通知信号を前記プレゼント情報管理手段に送出し、前記プレゼンス情報管理手段は、前記操作検知手段からのイベント通知信号の種類に応じたプレゼンス情報を送出する。したがって、操作に応じたプレゼンス情報を送出することができる。
【０００９】
また、本発明に係る状態通知装置は、前記通信端末が折り畳み式の通信端末であって、前記操作検知手段は、前記折り畳み式の通信端末の開閉操作を検知することが望ましい。
【００１０】
また、本発明に係る状態通知装置は、前記通信端末がフリップタイプの通信端末であって、前記操作検知手段は、前記フリップタイプの通信端末が有するフリップの開閉操作を検知することが望ましい。
【００１１】
また、本発明に係る状態通知装置は、前記通信端末がスライドタイプの通信端末であって、前記操作検知手段は、前記スライドタイプの通信端末が有するカバー部のスライド操作を検知することが望ましい。
【００１２】
また、本発明に係る状態通知装置は、前記操作検知手段は、前記通信端末のボタンまたはキーの操作を検知することが望ましい。
【００１３】
さらに、本発明に係る状態通知装置は、前記操作検知手段は、前記通信端末が有する引き出し可能なアンテナの引き出し操作を検知することが望ましい。
【００１４】
【発明の実施の形態】
以下、本発明に係る状態通知装置の実施の形態について、図面を参照して詳細に説明する。なお、以下に説明する実施形態の状態通知装置は携帯電話やＰＤＡ等の通信端末に設けられ、当該通信端末は、特に、折り畳み式の携帯電話やフリップタイプの携帯電話、スライドタイプの携帯電話であるとする。また、折り畳み式であれば携帯電話の開閉、プリップタイプであればフリップ開閉、スライドタイプであればスライド操作、キー入力、アンテナ引出しまたは収納等のイベントが携帯電話に対して行われると、「プレゼンス情報」として携帯電話の操作状況を示す情報が当該携帯電話から送出される。また、プレゼンス情報の他にも、ユーザが入力した簡単なメッセージも送出できる。
【００１５】
このような携帯電話が利用可能な通信システムの概略図を図１に示す。同図に示すように、当該通信システムは、複数の携帯電話１００と、ネットワーク２００と、プレゼンスサーバ３００とから構成されている。プレゼンスサーバ３００は、携帯電話１００のユーザによって予め登録されたメンバーを記憶するものであり、携帯電話１００から送出されたプレゼンス情報はプレゼンスサーバ３００に登録されているメンバーの携帯電話に送信される。例えば、ユーザＡの携帯電話から送られたプレゼンス情報は、ユーザＢの携帯電話およびユーザＣの携帯電話に送られる。したがって、ユーザＢおよびユーザＣは、各自の携帯電話を見ればユーザＡがどのような状況かを確認することができる。
【００１６】
以下、このようなシステムで用いられる携帯電話に設けられた状態通知装置について説明する。図２は、本発明の一実施形態に係る状態通知装置を示すブロック図である。同図において、本実施形態の状態通知装置は、特許請求の範囲の操作検知手段に該当する操作検知部１０１、開閉検知部１０３およびアンテナ引出検知部１０５と、プレゼンス情報管理手段に該当するプレゼンス管理部１０７および通信制御部１０９と、カレントプレゼンス記憶部１１１と、表示部１１３と、引き出し可能なアンテナ１１５とを備えて構成されている。
【００１７】
以下、本実施形態の状態通知装置が有する各構成要素について説明する。
まず、操作検知部１０１について説明する。操作検知部１０１は、数字や文字、記号等を入力するためのボタンや携帯電話を操作するためのナビゲーションキー等のユーザによる操作を検知するものであり、操作を検知するとプレゼンス管理部１０７にイベント通知信号を送出する。なお、当該イベント通知信号は各操作によって異なる。
【００１８】
また、開閉検知部１０３について説明する。開閉検知部１０３は、折り畳み式の携帯電話であれば携帯電話が開かれたことまたは閉じられたことを検知するものであり、フリップタイプの携帯電話であればフリップが開かれたことまたは閉じられたことを検知するものであり、開閉操作を検知するとプレゼンス管理部１０７にイベント通知信号を送出する。また、開閉検知部１０３は、スライドタイプの携帯電話であればカバー部がスライドされたことを検知する。なお、開動作時のイベント通知信号と閉動作時のイベント通知信号はそれぞれ異なる信号である。
【００１９】
また、アンテナ引出検知部１０５について説明する。アンテナ引出検知部１０５は、アンテナ１１５が引き出されたことを検知するものであり、当該アンテナ１１５の引き出し動作を検知すると、プレゼンス管理部１０７にアンテナ１１５が引き出されたことを示すイベント通知信号を送出する。
【００２０】
また、プレゼンス管理部１０７について説明する。プレゼンス管理部１０７は、操作検知部１０１、開閉検知部１０３およびアンテナ引出検知部１０５のいずれかからイベント通知信号を受け取ると、本実施形態の携帯電話からプレゼンス情報を送出するための所定の処理を行うものである。「プレゼンス情報」とは、先に説明したように携帯電話の操作や無線ネットワークの接続状態、気分等のユーザの状態を示す情報であり、プレゼンス管理部１０７は、受け取ったイベント通知信号に基づいて複数種類の情報の中から最適な情報を選択する。
【００２１】
以下、プレゼンス情報として「操作中」、「通話中」、「取込み中」、「待機中」の内のいずれかを示すことができる場合について説明する。なお、「操作中」を示すプレゼンス情報は、開閉検知部１０３によって携帯電話またはフリップが開かれたことが検知されたとき、操作検知部１０１によってボタンやナビゲーションキー等が操作されたことが検知されたとき、またはアンテナ引出検知部１０５によってアンテナ１１５が引き出されたことが検知されたときに選択される。
【００２２】
また、「通話中」を示すプレゼンス情報は、操作検知部１０１によって通話開始が検知されたときに選択される。また、「取込み中」を示すプレゼンス情報は、操作検知部１０１によって携帯電話がマナーモードとされたときに選択される。また、「待機中」を示すプレゼンス情報は、開閉検知部１０３によって携帯電話またはフリップが閉じられたことが検知されたとき、または、通話中以外の状態においてイベント通知信号を所定時間以上受け取らなかったときに選択される。
【００２３】
プレゼンス管理部１０７は、操作検知部１０１、開閉検知部１０３またはアンテナ引出検知部１０５からイベント通知信号を受け取ると、当該受け取ったイベント通知信号に応じたプレゼンス情報を選択し、選択したプレゼンス情報を送出するよう通信制御部１０９に指示する。なお、プレゼンス管理部１０７は、タイマー（図示せず）を利用して、イベント通知信号を受け取ってもすぐさまプレゼンス情報の送出を指示せず、イベント通知信号を受け取ってから所定時間経過後に当該プレゼンス情報の送出を指示しても良い。
【００２４】
次に、通信制御部１０９について説明する。通信制御部１０９は、プレゼンス管理部１０７から指示されたプレゼンス情報を図１に示したプレゼンスサーバ３００に送出するものである。また、プレゼンスサーバ３００は、上述したように各ユーザごとにメンバーが登録されているため、プレゼンス情報を受け取ると送信元のユーザの登録メンバー全員に当該プレゼンス情報を送る。
【００２５】
次に、カレントプレゼンス記憶部１１１について説明する。カレントプレゼンス記憶部１１１は、自端末（携帯電話）の最新のプレゼンス情報および他のメンバーの携帯電話から送られた最新のプレゼンス情報を記憶するものである。なお、最新のプレゼンス情報だけでなく、過去のプレゼンス情報を履歴として記憶しておいても良い。
【００２６】
次に、表示部１１３について説明する。表示部１１３は、カレントプレゼンス記憶部１１１に記憶されている自端末および他のメンバーそれぞれの最新のプレゼンス情報をキャラクター等によって表すものである。プレゼンス情報をキャラクターで表す場合、「操作中」、「通話中」、「取込み中」、「待機中」の各プレゼンス情報によってキャラクターの表情等を違えるものとすることにより、ユーザは各メンバーがどのような状況であるかを判別することができる。
【００２７】
上述した構成要素を備える本実施形態の状態通知装置は、携帯電話に対してユーザが何からの操作をすると操作検知部１０１、開閉検知部１０３またはアンテナ引出検知部１０５によってイベント通知信号がプレゼンス管理部１０７に送られるため、プレゼンス管理部１０７は当該イベント通知信号に応じたプレゼンス情報を送出するよう通信制御部１０９に指示する。そして、通信制御部１０９がこの指示に従ってプレゼンス情報をプレゼンスサーバ３００に送る。
【００２８】
プレゼンスサーバ３００は、当該プレゼンス情報の送信元のユーザが登録しているメンバー全員にこのプレゼンス情報を送る。このようにしてプレゼンスサーバ３００からプレゼンス情報を受け取った本実施形態の携帯電話では、プレゼンス管理部１０７がプレゼンス情報を更新した後、このプレゼンス情報をキャラクター等を用いて表示部１１３に表示する、または表示を変更する。
【００２９】
以上説明したように、本実施形態の状態通知装置にあっては、携帯電話に対して何らかの操作を行えば各操作に応じて適当なプレゼンス情報を送出するため、ユーザが特にプレゼンス情報を作成または指示したり送出するための特別な操作を行う必要なく、最新の状況を他の携帯電話に通知することができる。このように、ユーザが特に意識しなくても最新のプレゼンス情報が登録メンバーに送られるため、各メンバーは最新のプレゼンス情報に基づいて相手の状況を確認することができる。
【００３０】
【発明の効果】
以上説明したように、本発明に係る状態通知装置によれば、何らかの操作がなされるとユーザによる特別の操作なく最新の状況を通知することができる
【図面の簡単な説明】
【図１】本実施形態の携帯電話が利用可能な通信システムの概略図
【図２】本発明の一実施形態に係る状態通知装置を示すブロック図
【符号の説明】
１００　携帯電話
１０１　操作検知部
１０３　開閉検知部
１０５　アンテナ引出検知部
１０７　プレゼンス管理部
１０９　通信制御部
１１１　カレントプレゼンス記憶部
１１３　表示部
１１５　アンテナ
２００　ネットワーク
３００　プレゼンスサーバ
【図１】
2004023374.tif 000003
【図２】
2004023374.tif 000004